(57)【要約】【課題】  ポインティグデバイス側で位置検出して、より柔軟に多様なサービスを提供する。【解決手段】  ネットワークサービス提供システム１は、情報表示装置２、観測対象装置３に貼付されたフィルムシート３０、情報配信装置４、及びコンピュータネットワーク５を備えており、情報表示装置２が観測対象装置３のフィルムシート３０に接触することにより、観測対象装置３の接触位置に提供されているネットワークサービスを情報配信装置４が、情報表示装置２に配信するようになっている。【選択図】図６
2006072657.tif 000002
【特許請求の範囲】
【請求項１】
部分面内における接触位置を特定する位置特定システムであって、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定装置と、
を有することを特徴とする位置特定システム。
【請求項２】
前記位置特定装置は、１又は複数の前記タグＩＤ取得手段を備え、
各タグＩＤ取得手段は、１つのＩＤを取得することを特徴とする請求項１記載の位置特定システム。
【請求項３】
前記位置指定装置が１つの前記タグＩＤ取得手段を備えるときは、前記位置指定装置が前記フィルムシート上に接触した接触点の位置を特定し、
前記位置指定装置が複数の前記タグＩＤ取得手段を備えるときは、前記位置指定装置が前記フィルムシート上に接触した接触領域において、各タグＩＤ取得手段により特定された各点を頂点とする多角形又は該多角形に外接する所定の図形を特定することを特徴とする請求項２記載の位置特定システム。
【請求項４】
部分面内における接触位置を特定する位置特定システムに用いられ、所定の平面又は曲面に貼付可能であり、各々が固有のＩＤを持つ複数の微小タグをシート全体に配置したフィルムシートであって、
前記位置特定システムは、
前記フィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定装置と、
を有することを特徴とするフィルムシート。
【請求項５】
部分面内における接触位置を特定する位置特定システムに用いられる位置指定装置であって、
所定の平面又は曲面に貼付可能であり、各々が固有のＩＤを持つ複数の微小タグをシート全体に配置したフィルムシートに接触して、接触点に最近接の前記微小タグのＩＤを取得するタグID取得手段を備え、
前記位置特定システムは、
前記フィルムシートと、
前記位置指定装置と、
前記位置指定装置により取得されたＩＤ、及び前記複数の微小タグの前記フィルムシート上の配置情報に基づいて、前記部分面内における接触位置を特定する位置特定装置と、
を有することを特徴とする位置指定装置。
【請求項６】
部分面内における接触位置を特定する位置特定システムに用いられる位置特定装置であって、
前記位置特定システムは、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定装置と、
を有することを特徴とする位置特定装置。
【請求項７】
前記位置特定装置は、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする請求項６記載の位置特定装置。
【請求項８】
部分面内における接触位置を特定する位置特定システムに用いられる位置特定装置が読み取り可能な位置特定プログラムであって、
前記位置特定システムは、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
前記位置特定装置と、
を有し、
前記位置特定装置に、
前記位置指定装置により取得されたＩＤ、及び前記複数の微小タグの前記フィルムシート上の配置情報に基づいて、前記部分面内における接触位置を特定する位置特定ステップ
を実行させることを特徴とする位置特定プログラム。
【請求項９】
前記位置特定ステップは、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする請求項８記載の位置特定プログラム。
【請求項１０】
部分面内の接触位置に応じたサービスを提供するサービス提供システムであって、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定手段と、
前記位置特定手段により特定された接触位置に対応する処理を特定する処理特定手段と、
前記処理特定手段により特定された処理を実行する処理実行手段と、
前記処理実行手段により実行された処理の結果を取得、加工してサービス情報とするサービス情報取得手段と、を備える処理装置と、
前記処理装置により得られたサービス情報を利用者に表示する情報表示装置と、
を有することを特徴とするサービス提供システム。
【請求項１１】
前記処理装置の各手段は、コンピュータネットワークを介して通信可能となっていることを特徴とする請求項１０記載のサービス提供システム。
【請求項１２】
前記位置指定装置と前記処理装置、及び前記処理装置と前記情報表示装置の装置間の通信は、無線通信であることを特徴とする請求項１０又は１１記載のサービス提供システム。
【請求項１３】
部分面内の接触位置に応じたサービスを提供するサービス提供システムに用いられ、所定の平面又は曲面に貼付可能であり、各々が固有のＩＤを持つ複数の微小タグをシート全体に配置したフィルムシートであって、
前記サービス提供システムは、
前記フィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定手段と、
前記位置特定手段により特定された接触位置に対応する処理を特定する処理特定手段と、
前記処理特定手段により特定された処理を実行する処理実行手段と、
前記処理実行手段により実行された処理の結果を取得、加工してサービス情報とするサービス情報取得手段と、を備える処理装置と、
前記処理装置により得られたサービス情報を利用者に表示する情報表示装置と、
を有することを特徴とするフィルムシート。
【請求項１４】
前記フィルムシートは、コンピュータのディスプレイに貼付されていることを特徴とする請求項１３記載のフィルムシート。
【請求項１５】
前記フィルムシートは、所定の広告情報を掲示する掲示板に貼付されていることを特徴とする請求項１３記載のフィルムシート。
【請求項１６】
前記フィルムシートの前記複数の微小タグは、正三角形の頂点に等間隔で配置されていることを特徴とする請求項１３乃至１５のいずれか１項に記載のフィルムシート。
【請求項１７】
前記タグID取得手段の有効射程範囲が前記正三角形の外接円程度の大きさとなるように前記複数の微小タグを配置することを特徴とする請求項１６記載のフィルムシート。
【請求項１８】
部分面内の接触位置に応じたサービスを提供するサービス提供システムに用いられる位置指定装置であって、
所定の平面又は曲面に貼付可能であり、各々が固有のＩＤを持つ複数の微小タグをシート全体に配置したフィルムシートに接触して、接触点に最近接の前記微小タグのＩＤを取得するタグID取得手段を備え、
前記サービス提供システムは、
前記フィルムシートと、
前記位置指定装置と、
前記位置指定装置により取得されたＩＤ、及び前記複数の微小タグの前記フィルムシート上の配置情報に基づいて、前記部分面内における接触位置を特定する位置特定手段と、
前記位置特定手段により特定された接触位置に対応する処理を特定する処理特定手段と、
前記処理特定手段により特定された処理を実行する処理実行手段と、
前記処理実行手段により実行された処理の結果を取得、加工してサービス情報とするサービス情報取得手段と、を備える処理装置と、
前記処理装置により得られたサービス情報を利用者に表示する情報表示装置と、
を有することを特徴とする位置指定装置。
【請求項１９】
部分面内の接触位置に応じたサービスを提供するサービス提供システムに用いられる情報表示装置であって、
前記サービス提供システムは、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
前記位置指定装置により取得されたＩＤ、及び前記複数の微小タグの前記フィルムシート上の配置情報に基づいて、前記部分面内における接触位置を特定する位置特定手段と、
前記位置特定手段により特定された接触位置に対応する処理を特定する処理特定手段と、
前記処理特定手段により特定された処理を実行する処理実行手段と、
前記処理実行手段により実行された処理の結果を取得、加工してサービス情報とするサービス情報取得手段と、を備える処理装置と、
前記処理装置により得られたサービス情報を利用者に表示する前記情報表示装置と、
を有することを特徴とする情報表示装置。
【請求項２０】
前記位置指定装置と物理的に同一筐体であることを特徴とする請求項１９記載の情報表示装置。
【請求項２１】
部分面内の接触位置に応じたサービスを提供するサービス提供システムに用いられる処理装置であって、
前記サービス提供システムは、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
サービス情報を取得する前記処理装置と、
前記処理装置により得られたサービス情報を利用者に通知する前記情報表示装置と、
を有し、
前記処理装置は、
前記位置指定装置により取得されたＩＤ、及び前記複数の微小タグの前記フィルムシート上の配置情報に基づいて、前記部分面内における接触位置を特定する位置特定手段と、
前記位置特定手段により特定された接触位置に対応する処理を特定する処理特定手段と、
前記処理特定手段により特定された処理を実行する処理実行手段と、
前記処理実行手段により実行された処理の結果を取得、加工してサービス情報とするサービス情報取得手段と、を備えることを特徴とする処理装置。
【請求項２２】
前記位置特定手段は、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする請求項２１記載の処理装置。
【請求項２３】
前記処理特定手段は、前記算出された位置座標と該位置座標と対応するサービスの組み合わせ情報を管理し、又は該組み合わせ情報を管理している装置に問い合わせて、接触位置に対応するサービスを特定することを特徴とする請求項２２記載の処理装置。
【請求項２４】
前記処理実行手段は、所定の時間間隔ごとに前記処理を実行することを特徴とする請求項２１乃至２３のいずれか１項に記載の処理装置。
【請求項２５】
部分面内の接触位置に応じたサービスを提供するサービス提供システムに用いられる処理装置が読み取り可能な処理プログラムであって、
前記サービス提供システムは、
所定の平面又は曲面に貼付可能であり、各々が固有のＩＤを持つ複数の微小タグをシート全体に配置したフィルムシートと、
前記フィルムシートに接触して、接触点に最近接の前記微小タグのＩＤを取得するタグID取得手段を備える位置指定装置と、
サービス情報を取得する前記処理装置と、
前記処理装置により得られたサービス情報を利用者に通知する前記情報表示装置と、
を有し、
前記処理装置に、
前記位置指定装置により取得されたＩＤ、及び前記複数の微小タグの前記フィルムシート上の配置情報に基づいて、前記部分面内における接触位置を特定する位置特定ステップと、
前記位置特定ステップにより特定された接触位置に対応する処理を特定する処理特定ステップと、
前記処理特定ステップにより特定された処理を実行する処理実行ステップと、
前記処理実行ステップにより実行された処理の結果を取得、加工してサービス情報とするサービス情報取得ステップと、
を実行させることを特徴とする処理プログラム。
【請求項２６】
前記位置特定ステップは、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする請求項２５記載の処理プログラム。
【請求項２７】
前記処理特定ステップは、前記算出された位置座標と該位置座標と対応するサービスの組み合わせ情報を管理し、又は該組み合わせ情報を管理している装置に問い合わせて、接触位置に対応するサービスを特定することを特徴とする請求項２６記載の処理プログラム。
【請求項２８】
前記処理実行ステップは、所定の時間間隔ごとに前記処理を実行することを特徴とする請求項２５乃至２７のいずれか１項に記載の処理プログラム。
【発明の詳細な説明】
【技術分野】
【０００１】
本発明は、ポインティングデバイスを用いて平面上の位置を特定する位置特定技術及び該位置特定技術を利用したサービス提供技術に関する。
【背景技術】
【０００２】
タッチパネルを用いて利用者が指示した位置を特定し、この位置に応じた所望のサービスを提供するシステム（装置）が存在する。例えば、コンピュータの入力及び表示装置としてタッチパネル付ディスプレイを用い、利用者は指でタッチパネル付ディスプレイ上の所定の位置を触れることで、タッチパネルが接触された位置を検知し、検出された位置をコンピュータが認識して、位置に応じた所望の処理を行うようなシステムである。あるいは、タブレットＰＣにおいて、利用者がスタイラスペンで液晶パネル上の所定の位置に触れることで、位置に応じた所望の処理を行うようなシステムである。
【０００３】
ここで、上記のようなシステムにおいては、利用者が接触するタッチパネル、タブレットのような検知用デバイスを備えた部分平面と、利用者の指、ペンのような部分平面上の任意の位置をポイントするポインティングデバイスとが必要であるとともに、部分平面側が、位置検出をし、所定のサービスを提供するようになっている。
【０００４】
尚、この出願に関連する先行技術文献情報としては、次のものがある。
【特許文献１】特開１９９５−１６２９４６号公報
【特許文献２】特開１９９８−１２７８４１号公報
【特許文献３】特開２００３−２１５３３号公報
【発明の開示】
【発明が解決しようとする課題】
【０００５】
ところで、ポインティングデバイスを用いて平面上の位置を特定するシステムにおいては、必ずしも上述したように部分平面側で位置を特定して、サービスを提供する必要はない。むしろ、ポインティングデバイスを利用者が所有するような状況においては、ポインティグデバイス側で位置検出できれば、より様々なサービス利用が可能となる。これは、部分平面側で位置を特定する場合には、通常、部分平面とポインティングデバイスが対の閉じたシステムを構成するのに対し、ポインティグデバイス側で位置検出する場合には、利用者がポインティングデバイスを携行することにより、物理的に離れた複数の部分平面において、それぞれの部分平面に応じた様々なサービスを利用することが考えられるからである。
【０００６】
本発明は、上記の事情に鑑みてなされたもので、ポインティグデバイス側で位置検出して、より柔軟に多様なサービスを提供し得る位置特定システム、位置特定システムに用いられるフィルムシート、位置指定装置、位置特定装置及び位置特定プログラム、並びにサービス提供システム、サービス提供システムに用いられるフィルムシート、位置指定装置、情報表示装置、処理装置及び処理プログラムを提供することを目的とする。
【課題を解決するための手段】
【０００７】
上記目的を達成するため、請求項１記載の本発明は、部分面内における接触位置を特定する位置特定システムであって、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定装置と、を有することを特徴とする。
【０００８】
請求項２記載の本発明は、請求項１記載の発明において、前記位置特定装置は、１又は複数の前記タグＩＤ取得手段を備え、各タグＩＤ取得手段は、１つのＩＤを取得することを特徴とする。
【０００９】
請求項３記載の本発明は、請求項２記載の発明において、前記位置指定装置が１つの前記タグＩＤ取得手段を備えるときは、前記位置指定装置が前記フィルムシート上に接触した接触点の位置を特定し、前記位置指定装置が複数の前記タグＩＤ取得手段を備えるときは、前記位置指定装置が前記フィルムシート上に接触した接触領域において、各タグＩＤ取得手段により特定された各点を頂点とする多角形又は該多角形に外接する所定の図形を特定することを特徴とする。
【００１０】
請求項４記載の本発明は、部分面内における接触位置を特定する位置特定システムに用いられ、所定の平面又は曲面に貼付可能であり、各々が固有のＩＤを持つ複数の微小タグをシート全体に配置したフィルムシートであって、前記位置特定システムは、前記フィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定装置と、を有することを特徴とする。
【００１１】
請求項５記載の本発明は、部分面内における接触位置を特定する位置特定システムに用いられる位置指定装置であって、所定の平面又は曲面に貼付可能であり、各々が固有のＩＤを持つ複数の微小タグをシート全体に配置したフィルムシートに接触して、接触点に最近接の前記微小タグのＩＤを取得するタグID取得手段を備え、前記位置特定システムは、前記フィルムシートと、前記位置指定装置と、前記位置指定装置により取得されたＩＤ、及び前記複数の微小タグの前記フィルムシート上の配置情報に基づいて、前記部分面内における接触位置を特定する位置特定装置と、を有することを特徴とする。
【００１２】
請求項６記載の本発明は、部分面内における接触位置を特定する位置特定システムに用いられる位置特定装置であって、前記位置特定システムは、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定装置と、を有することを特徴とする。
【００１３】
請求項７記載の本発明は、請求項６記載の発明において、前記位置特定装置は、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする。
【００１４】
請求項８記載の本発明は、部分面内における接触位置を特定する位置特定システムに用いられる位置特定装置が読み取り可能な位置特定プログラムであって、前記位置特定システムは、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、前記位置特定装置と、を有し、前記位置特定装置に、前記位置指定装置により取得されたＩＤ、及び前記複数の微小タグの前記フィルムシート上の配置情報に基づいて、前記部分面内における接触位置を特定する位置特定ステップを実行させることを特徴とする。
【００１５】
請求項９記載の本発明は、請求項８記載の発明において、前記位置特定ステップは、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする。
【００１６】
請求項１０記載の本発明は、部分面内の接触位置に応じたサービスを提供するサービス提供システムであって、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定手段と、前記位置特定手段により特定された接触位置に対応する処理を特定する処理特定手段と、前記処理特定手段により特定された処理を実行する処理実行手段と、前記処理実行手段により実行された処理の結果を取得、加工してサービス情報とするサービス情報取得手段と、を備える処理装置と、前記処理装置により得られたサービス情報を利用者に表示する情報表示装置と、を有することを特徴とする。
【００１７】
請求項１１記載の本発明は、請求項１０記載の発明において、前記処理装置の各手段は、コンピュータネットワークを介して通信可能となっていることを特徴とする。
【００１８】
請求項１２記載の本発明は、請求項１０又は１１記載の発明において、前記位置指定装置と前記処理装置、及び前記処理装置と前記情報表示装置の装置間の通信は、無線通信であることを特徴とする。
【００１９】
請求項１３記載の本発明は、部分面内の接触位置に応じたサービスを提供するサービス提供システムに用いられ、所定の平面又は曲面に貼付可能であり、各々が固有のＩＤを持つ複数の微小タグをシート全体に配置したフィルムシートであって、前記サービス提供システムは、前記フィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定手段と、前記位置特定手段により特定された接触位置に対応する処理を特定する処理特定手段と、前記処理特定手段により特定された処理を実行する処理実行手段と、前記処理実行手段により実行された処理の結果を取得、加工してサービス情報とするサービス情報取得手段と、を備える処理装置と、前記処理装置により得られたサービス情報を利用者に表示する情報表示装置と、を有することを特徴とする。
【００２０】
請求項１４記載の本発明は、請求項１３記載の発明において、前記フィルムシートは、コンピュータのディスプレイに貼付されていることを特徴とする。
【００２１】
請求項１５記載の本発明は、請求項１３記載の発明において、前記フィルムシートは、所定の広告情報を掲示する掲示板に貼付されていることを特徴とする。
【００２２】
請求項１６記載の本発明は、請求項１３乃至１５のいずれか１項に記載の発明において、前記フィルムシートの前記複数の微小タグは、正三角形の頂点に等間隔で配置されていることを特徴とする。
【００２３】
請求項１７記載の本発明は、請求項１６記載の発明において、前記タグID取得手段の有効射程範囲が前記正三角形の外接円程度の大きさとなるように前記複数の微小タグを配置することを特徴とする。
【００２４】
請求項１８記載の本発明は、部分面内の接触位置に応じたサービスを提供するサービス提供システムに用いられる位置指定装置であって、所定の平面又は曲面に貼付可能であり、各々が固有のＩＤを持つ複数の微小タグをシート全体に配置したフィルムシートに接触して、接触点に最近接の前記微小タグのＩＤを取得するタグID取得手段を備え、前記サービス提供システムは、前記フィルムシートと、前記位置指定装置と、前記位置指定装置により取得されたＩＤ、及び前記複数の微小タグの前記フィルムシート上の配置情報に基づいて、前記部分面内における接触位置を特定する位置特定手段と、前記位置特定手段により特定された接触位置に対応する処理を特定する処理特定手段と、前記処理特定手段により特定された処理を実行する処理実行手段と、前記処理実行手段により実行された処理の結果を取得、加工してサービス情報とするサービス情報取得手段と、を備える処理装置と、前記処理装置により得られたサービス情報を利用者に表示する情報表示装置と、を有することを特徴とする。
【００２５】
請求項１９記載の本発明は、部分面内の接触位置に応じたサービスを提供するサービス提供システムに用いられる情報表示装置であって、前記サービス提供システムは、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、前記位置指定装置により取得されたＩＤ、及び前記複数の微小タグの前記フィルムシート上の配置情報に基づいて、前記部分面内における接触位置を特定する位置特定手段と、前記位置特定手段により特定された接触位置に対応する処理を特定する処理特定手段と、前記処理特定手段により特定された処理を実行する処理実行手段と、前記処理実行手段により実行された処理の結果を取得、加工してサービス情報とするサービス情報取得手段と、を備える処理装置と、前記処理装置により得られたサービス情報を利用者に表示する前記情報表示装置と、を有することを特徴とする。
【００２６】
請求項２０記載の本発明は、請求項１９記載の発明において、前記位置指定装置と物理的に同一筐体であることを特徴とする。
【００２７】
請求項２１記載の本発明は、部分面内の接触位置に応じたサービスを提供するサービス提供システムに用いられる処理装置であって、前記サービス提供システムは、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、サービス情報を取得する前記処理装置と、前記処理装置により得られたサービス情報を利用者に通知する前記情報表示装置と、を有し、前記処理装置は、前記位置指定装置により取得されたＩＤ、及び前記複数の微小タグの前記フィルムシート上の配置情報に基づいて、前記部分面内における接触位置を特定する位置特定手段と、前記位置特定手段により特定された接触位置に対応する処理を特定する処理特定手段と、前記処理特定手段により特定された処理を実行する処理実行手段と、前記処理実行手段により実行された処理の結果を取得、加工してサービス情報とするサービス情報取得手段と、を備えることを特徴とする。
【００２８】
請求項２２記載の本発明は、請求項２１記載の発明において、前記位置特定手段は、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする。
【００２９】
請求項２３記載の本発明は、請求項２２記載の発明において、前記処理特定手段は、前記算出された位置座標と該位置座標と対応するサービスの組み合わせ情報を管理し、又は該組み合わせ情報を管理している装置に問い合わせて、接触位置に対応するサービスを特定することを特徴とする。
【００３０】
請求項２４記載の本発明は、請求項２１乃至２３のいずれか１項に記載の発明において、前記処理実行手段は、所定の時間間隔ごとに前記処理を実行することを特徴とする。
【００３１】
請求項２５記載の本発明は、部分面内の接触位置に応じたサービスを提供するサービス提供システムに用いられる処理装置が読み取り可能な処理プログラムであって、前記サービス提供システムは、所定の平面又は曲面に貼付可能であり、各々が固有のＩＤを持つ複数の微小タグをシート全体に配置したフィルムシートと、前記フィルムシートに接触して、接触点に最近接の前記微小タグのＩＤを取得するタグID取得手段を備える位置指定装置と、サービス情報を取得する前記処理装置と、前記処理装置により得られたサービス情報を利用者に通知する前記情報表示装置と、を有し、前記処理装置に、前記位置指定装置により取得されたＩＤ、及び前記複数の微小タグの前記フィルムシート上の配置情報に基づいて、前記部分面内における接触位置を特定する位置特定ステップと、前記位置特定ステップにより特定された接触位置に対応する処理を特定する処理特定ステップと、前記処理特定ステップにより特定された処理を実行する処理実行ステップと、前記処理実行ステップにより実行された処理の結果を取得、加工してサービス情報とするサービス情報取得ステップと、を実行させることを特徴とする。
【００３２】
請求項２６記載の本発明は、請求項２５記載の発明において、前記位置特定ステップは、前記微小タグのＩＤから接触した操作対象を特定し、特定された操作対象に貼付されたフィルムシートのタグ配置構成に関する情報を取得し、該タグ配置構成に関する情報と前記微小タグのＩＤから接触したフィルムシート上の位置座標を算出することを特徴とする。
【００３３】
請求項２７記載の本発明は、請求項２６記載の発明において、前記処理特定ステップは、前記算出された位置座標と該位置座標と対応するサービスの組み合わせ情報を管理し、又は該組み合わせ情報を管理している装置に問い合わせて、接触位置に対応するサービスを特定することを特徴とする。
【００３４】
請求項２８記載の本発明は、請求項２５乃至２７のいずれか１項に記載の発明において、前記処理実行ステップは、所定の時間間隔ごとに前記処理を実行することを特徴とする。
【発明の効果】
【００３５】
本発明によれば、部分面内における接触位置をポインティグデバイス側で検出するので、部分面側には微小タグが多数配置されたフィルムシートを備えればよく、簡単に位置特定を行うことができるとともに、位置特定対象の汎用性を高めることができる。
【００３６】
この結果、接触という簡単な手続きにより、利用者が望む多様なネットワークサービスをより利用者に提供することができる。
【発明を実施するための最良の形態】
【００３７】
以下、本発明の実施の形態を図面を用いて説明する。
【００３８】
＜位置特定システム＞
まず、本発明の実施の形態に係る位置特定システム１００の概念を説明する。位置特定システム１００は、図１１に示すように、任意の平面又は曲面に貼付されたフィルムシート３０と、位置指定装置１０と、位置特定装置２０から構成されている。
【００３９】
フィルムシート３０は、微小なＩＤタグ３１が多数配置された透明なシートで、任意の平面又は曲面に貼付されている。各ＩＤタグ３１は、一意に識別可能なＩＤを備えており、該ＩＤはＩＤリーダなどの位置指定装置１０により読み取ることが可能となっている。各ＩＤタグ３１のフィルムシート３０への配置方法は種々考えられるが、例えば、ＩＤは通し番号となっており、フィルムシート３０の左上端からはじめて、左から右、上から下という順序で通し番号を振るようにしてもよい。また、ＩＤから通し番号への変換テーブルを用意してもよい。この場合においては、ＩＤ自体がユニークであればよいものである。
【００４０】
位置指定装置１０は、タグＩＤ取得手段１０Ａを備えており、位置指定装置１０がフィルムシート３０に接触すると、接触点の最近接タグのＩＤを取得するようになっている。尚、本実施の形態における「接触」には、物理的な接触の他、位置指定装置１０とＩＤタグ３１とが通信可能な距離程度の近接も含まれるものである。
【００４１】
位置特定装置２０は、位置指定装置１０からＩＤを受け取って、該ＩＤから接触点のフィルムシート３０上における相対的な位置を特定するようになっている。詳しくは、位置特定装置２０は、ＩＤタグ３１の配置情報、即ち、ＩＤと、ＩＤタグ３１のフィルムシート３０上における相対的位置とを対応づけた情報を備えているので、取得したタグＩＤから接触位置の二次元上の座標を計算できるようになっている。
【００４２】
従って、位置特定システム１００においては、部分面側にはフィルムシート３０を備えるだけで、ポインティングデバイス側の位置指定装置１０及び位置特定装置２０が接触位置を特定するので、位置特定が簡単にできるとともに、位置特定対象の汎用性が高いという効果を得ることができる。
【００４３】
＜サービス提供システム＞
図１２は、上述した位置特定システム１００を所定のサービスに適用したサービス提供システム２００のシステム構成を示す図である。尚、サービス提供システム２００の説明においては、上述した位置特定システム１００と異なる構成及び機能を説明し、その他の構成及び機能に関しては同一部分には同一符号を付して説明を省略する。
【００４４】
処理装置４０は、接触した位置を特定するとともに、特定された位置に応じたサービス情報を取得する装置であり、詳しくは、位置特定手段４０Ａ、処理特定手段４０Ｂ、処理実行手段４０Ｃ、及びサービス情報取得手段４０Ｄを具備する構成である。尚、処理装置４０の各手段は、図１２に示すように物理的に一体化された同一装置上に備わっていてもよいし、各手段が通信ネットワークを介して分散している構成であってもよい。
【００４５】
位置特定手段４０Ａは、位置指定装置１０からＩＤを受け取ると、該ＩＤから接触点のフィルムシート３０上における相対的な位置を特定するようになっている。詳しくは、位置特定手段４０Ａは、ＩＤタグ３１の配置情報、即ち、ＩＤと、ＩＤタグ３１のフィルムシート３０上における相対的位置とを対応づけた情報を備えているので、取得したタグＩＤから接触位置の二次元上の座標を計算できるようになっている。
【００４６】
処理特定手段４０Ｂは、計算された接触位置から、その位置に対応付けられた処理を割り出すようになっている。
【００４７】
処理実行手段４０Ｃは、処理特定手段４０Ｂで特定された処理を実行するようになっており、サービス情報取得手段４０Ｄは、処理実行手段４０Ｃで実行された処理結果を受け取り、該処理結果を情報表示装置５０に表示可能な形式に変換したサービス情報を取得するようになっている。
【００４８】
また、情報表示装置５０は、処理装置４０で取得されたサービス情報を表示する装置であり、ネットワークサービス提供システム２００の利用者は、該情報表示装置５０を介して所望のサービスを利用できるようになっている。尚、位置指定装置１０と情報表示装置５０は、物理的に一体化された同一装置であってもよい。
【００４９】
以上のように構成されたサービス提供システム２００によれば、利用者は、ポインティングデバイス（位置指定装置１０及び情報表示装置５０）を所有するだけで、様々な場所で提供されている多様なサービスを簡単に利用することができる。
【００５０】
＜ネットワークサービス提供システム＞
次に、上述したサービス提供システム２００をコンピュータネットワークを介したサービス提供システムとして、より具体化したネットワークサービス提供システム１について説明する。
【００５１】
本発明の実施の形態に係るネットワークサービス提供システム１の構成および動作について説明する前に、ネットワークサービス提供システム１の基本的な考え方を、具体的な利用イメージを示す図１を用いて説明する。
【００５２】
図１は、株価情報サービスの提供を受けている利用者の利用状況を示している。今、利用者は、オフィスのパソコン（観測対象装置）３のブラウザソフト上に、株価情報提供サーバ（サービス提供手段）６が提供する株価情報を表示している（ステップＳ１０）。これにより、利用者は、オフィスのパソコン３で、常に株価を閲覧することができるようになっている。
【００５３】
次に、利用者が携帯型の情報表示装置２を取り出し、株価情報を表示しているパソコン３に接触すると、パソコン３上に表示されている株価情報が転写され、情報表示装置２に表示される（ステップＳ２０，Ｓ３０）。これにより、パソコン３が設置された場所を離れても、情報表示装置２を携帯していれば、株価を閲覧することが可能となっている（ステップＳ４０）。尚、情報表示装置２に転写されたものは、その瞬間における単なる株価情報の転写ではなく、株価サービスの転写であるため、利用者は、時々刻々変化する株価状況を情報表示装置２上で閲覧することができるようになっている。
【００５４】
このように、ネットワークサービス提供システム１は、情報表示装置２を所定のサービスの提供を受けている観測対象装置３に接触させると、該サービスが情報表示装置２に提供されるので、利用者は、接触という簡単な操作で、既に提供されているネットワークサービスを利用することができるものである。
【００５５】
尚、ネットワークサービス提供システム１は、情報表示装置２と観測対象装置３の接触を検知するだけでなく、接触した位置（観測対象装置３のディスプレイ上のどこに接触したか）まで検出する必要がある。これは、観測対象装置３が複数のネットワークサービスの提供を受けている可能性があるため、複数のネットワークサービスの中から所望のネットワークサービスを特定するには、利用者は所望のネットワークサービスを表示している部分を接触しなければならないためである。
【００５６】
ここで、上述した情報表示装置２の一具体例を図２を用いて説明する。
【００５７】
図２に示す情報表示装置２は、矩形の形状の携帯情報端末であり、表面にはサービス情報を表示する液晶表示部１０１を具備し、裏面には中心にＲＦＩＤ（Radio Frequency IDentification）タグのリーダライタ１０２を具備するようになっている。
【００５８】
また、上述した観測対象装置３のディスプレイ面の一具体例を図３を用いて説明する。
【００５９】
図３に示す観測対象装置３は、ディスプレイの前面にディスプレイ大の透明なフィルムシート３０を貼り付けている。また、このフィルムシート３０には、複数の微小なＲＦＩＤタグ３１（目を凝らしても見えない程度の大きさ、例えば、具体的には、（株）日立製作所が開発したμチップ（登録商標）など）が等間隔で配置され（正三角形の頂点にくるように配置）、張り付けられている。
【００６０】
このような観測対象装置３のディスプレイに上述した情報表示装置２の裏面を接触させた状態を示しているのが図４である。図４によれば、複数のＲＦＩＤタグのうちリーダライタ１０２の有効射程範囲内にあるＲＦＩＤタグ３１のＩＤ（ＲＦＩＤタグ３１は、それぞれユニークなＩＤを有している）が情報表示装置２に読み込まれ、認識されるようになっている。ここで、ＲＦＩＤの通信距離は、ＲＦＩＤタグ側のアンテナの大きさ、リーダライタ側のアンテナの大きさ、リーダライタの出力などによって決まるものであるが、本実施の形態においては、これらが最適化されており、接触により少なくとも１つのＲＦＩＤタグのＩＤが認識されるようになっている。尚、本具体例においては、ＲＦＩＤタグ３１とリーダライタ１０２を非常に近接させて動作させるため、リーダライタ１０２側は小規模なものでよく、また、消費電力も少なくて済むものである。
【００６１】
図５は、リーダライタ１０２の有効射程範囲とＲＦＩＤタグ３１の間隔の関係を示すものである。例えば、リーダライタ１０２が常に１つのＲＦＩＤを認識できるようにするには、リーダライタ１０２の有効射程範囲を、隣接するＲＦＩＤタグ３１を各頂点とする正三角形の外接円程度に設定すればよい。
【００６２】
以上述べたように、情報表示装置２は、観測対象装置３に接触すると、ＲＦＩＤタグ３１のＩＤを取得するようになっているので、ネットワークサービス提供システム１は、この取得したＩＤからディスプレイ上の位置を算出し、算出した位置からネットワークサービスの特定を行い、情報表示装置２に特定したネットワークサービスの提供を行うコンピュータシステムとなっている。尚、本実施の形態における「接触」とは、物理的な接触の他、リーダライタ１０２とＲＦＩＤタグ３１とが通信可能な距離程度の近接も含まれるものである。
【００６３】
次に、上述した機能を実現するネットワークサービス提供システム１の構成について説明する。
【００６４】
図６は、本発明の実施の形態に係るネットワークサービス提供システム１の概略構成図である。図６に示すネットワークサービス提供システム１は、情報表示装置２、観測対象装置３に貼付されたフィルムシート３０、情報配信装置４、及びコンピュータネットワーク５を備えており、情報表示装置２が観測対象装置３のフィルムシート３０に接触することにより、観測対象装置３の接触位置に提供されているネットワークサービスを情報配信装置４が、情報表示装置２に配信するようになっている。尚、ネットワークサービス提供システム１における情報表示装置２は、サービス提供システム２００の位置指定装置１０及び情報表示装置５０に対応しており、ネットワークサービス提供システム１における情報配信装置４は、サービス提供システム２００の処理装置４０に対応するものである。
【００６５】
情報表示装置２は、接触手段２１、通信手段Ａ２２、および情報表示手段２３を備えている携帯可能な装置である。
【００６６】
接触手段２１は、具体的には、上述したＲＦＩＤリーダライタ１０２であり、フィルムシート３０上のＲＦＩＤタグを読み取る手段である。また、通信手段Ａ２２は、情報配信装置４と通信を行う手段であり、接触手段２１が取得したＲＦＩＤタグ３１のＩＤを情報配信装置４に送信するようになっている。また、情報表示手段２３は、通信手段Ａ２２を介して情報配信装置４から送信されたネットワークサービスを利用者が閲覧可能な形式で表示する手段である。
【００６７】
観測対象装置３に貼付されたフィルムシート３０は、上述した通りであり、フィルムシート３０に配置されたＲＦＩＤタグ３１のユニークなＩＤは、フィルムシート３０の左上端を０として、左から右、および上から下に振られた通し番号となっている。
【００６８】
情報配信装置４は、通信手段Ａ４１、対象特定手段４２、対応テーブル４３、ＩＤ−位置変換手段４４、位置−アプリケーション対応手段４５、および情報加工手段４６を備えており、情報表示装置２に所望のネットワークサービスを配信するようになっている。
【００６９】
通信手段Ａ４１は、情報表示装置２との通信を行う手段であり、情報表示装置２から送信されたＲＦＩＤタグ３１のＩＤを受信するようになっている。また、対象特定手段４２は、取得したＲＦＩＤタグ３１のＩＤから操作対象（観測対象装置３）を特定する手段である。これは、１枚のフィルムシート３０が１つの操作対象に割り当てられているので、１枚のフィルムシート３０に含まれる複数のＲＦＩＤタグ３１の各ＩＤと操作対象（観測対象装置３）とを対応付けた対応テーブル４３を予め用意しておくことにより、ＩＤから操作対象を特定できるようになっているものである。尚、対応テーブル４３は、この他、フィルムシート３０上のＲＦＩＤタグ３１の配置に関する情報（ＲＦＩＤタグ３１の縦および横の数など）を備えている。また、対応テーブル４３は、情報配信装置４が備えていてもよいが、情報配信装置４の外部にあってもよいものである。
【００７０】
ＩＤ−位置変換手段４４は、ＲＦＩＤタグ３１のＩＤからＲＦＩＤタグ３１が配置されている二次元上の位置（座標）を算出する手段であり、具体的には以下のように行う。
【００７１】
図７は、上述したフィルムシート３０の座標を示す図である。図７によれば、横にｎ個（又はｎ−１個）、縦にｍ個（但し、ｍは偶数）のＲＦＩＤタグ３１が配置されており、例えば、ＲＦＩＤタグ３１ＡのＩＤはｎ＋４、座標は（4.5，１）、ＲＦＩＤタグ３１ＢのＩＤは２ｎ、座標は（１，２）となっている。
【００７２】
一般に、情報表示装置２が検知したＲＦＩＤタグ３１のＩＤをτとし、
a = τ mod (2n-1)
b = a mod n
c = (a-b) / n
d = (τ-a) / (2n-1)
とすると、検知されたＲＦＩＤタグ３１の位置（座標）は、
(tx, ty) = (b+c/2, c+2d)
となる。従って、ＲＦＩＤタグ３１のＩＤが取得でき、操作対象（観測対象装置３）が特定され、操作対象のフィルムシート３０に配置されたＲＦＩＤタグ３１の縦および横の数がわかれば、取得したＲＦＩＤタグ３１の位置（座標）を割り出すことができる。
【００７３】
位置−アプリケーション対応手段４５は、算出したＲＦＩＤタグ３１の二次元上の位置からディスプレイ上の該位置に配置されているアプリケーションを対応付ける手段であり、具体的な対応付けは適用事例により異なるものである。以下においては、観測対象装置３をユーザＰＣとして、ユーザＰＣ３上にフィルムシート３０を貼り付けた場合と、観測対象装置３をポスターとして、ポスター３の裏にフィルムシート３０を貼り付けた場合についてそれぞれ説明する。
【００７４】
図８は、ユーザＰＣ３上にフィルムシート３０を貼り付けた場合のネットワークサービス提供システム１の概略構成図である。この場合の利用イメージは以下の通りである。利用者はユーザＰＣ３上でＷｅｂブラウザを使ってネットサーフィンしており、このユーザＰＣ３のディスプレイ上にフィルムシート３０は貼り付けられている。気になるＷｅｂページを発見したので、それをクリップしようとして、ディスプレイ上のＷｅｂブラウザが表示されている辺りに情報表示装置２を接触させた。このとき、Ｗｅｂブラウザ上で表示されているコンテンツ（ネットワークサービス）が情報表示装置２上にも表示される。
【００７５】
この場合においては、位置−アプリケーション対応手段４５は、詳しくは、情報配信装置４の通信手段Ｂ４５１、ユーザＰＣ３の通信手段Ｂ４５２およびディスプレイ−アプリケーション変換手段４５３となっている。尚、対象特定手段４２においては、操作対象の特定として、ユーザＰＣ３のＩＰアドレス（Internet Protocol Address）を取得するようになっている。
【００７６】
通信手段Ｂ４５１は、ユーザＰＣ３との通信を行う手段であり、ユーザＰＣ３のＩＰアドレスに基づいて、算出したＲＦＩＤタグ３１の二次元上の位置をユーザＰＣ３に送信するようになっている。また、通信手段Ｂ４５２は、ユーザＰＣ３が情報配信装置４と通信を行う手段であり、情報配信装置４からＲＦＩＤタグ３１の二次元上の位置を受信するようになっている。
【００７７】
ディスプレイ−アプリケーション変換手段４５３は、受け取ったＲＦＩＤタグ３１の二次元上の位置から、ディスプレイ上の座標を算出し、該位置に配置されているアプリケーションが何かをＯＳ（Operating System）に対し問い合わせて、該アプリケーションが実行しているサービスを特定し、通信手段Ｂを介して情報配信装置４に送信するようになっている。尚、この場合においては、アプリケーションとしてＷｅｂブラウザを想定しているため、サービスの特定としては、そのとき表示しているＷｅｂページのＵＲＬ（Uniform Resource Locator）が情報配信装置４に通知されるようになっている。
【００７８】
ここで、ＲＦＩＤタグ３１の二次元上の位置から、ディスプレイ上の座標を算出する方法について説明する。図７に示すようなフィルムシート３０を想定し、ユーザＰＣ３のディスプレイの解像度(表示領域)を (Dx, Dy) とし、
delta_x = Dx / n
delta_y = delta_x sin(2π/3)
とすると（但し、πは円周率）、情報表示装置２はディスプレイ上では
(delta_x * tx, delta_y * ty)
付近で接触したことになる。そして、このディスプレイ上の座標をユーザＰＣ３のＯＳに問い合わせ、サービスを特定するものである。
【００７９】
図９は、ポスター３の裏にフィルムシート３０を貼り付けた場合のネットワークサービス提供システム１の概略構成図である。この場合の利用イメージは以下の通りである。街角に、キャンペーン用のポスター３が貼られている。ポスター３には懸賞募集のお知らせが表記されており、いくつかのコースに分かれている。利用者はポスター３上の希望するコースの表記上に情報表示装置２を接触させる。このとき、情報表示装置２には該当懸賞の指定したコースに関するサービス情報が表示される。
【００８０】
この場合においては、位置−アプリケーション対応手段４５は、詳しくは、情報配信装置４の通信手段Ｂ４５１、サービス提供手段６（懸賞に関する情報を提供するサーバ）の通信手段Ｂ４５２および位置−アプリケーション変換手段４５３となっている。尚、対象特定手段４２においては、操作対象の特定として、サービス提供手段６のＵＲＬを取得するようになっている。
【００８１】
通信手段Ｂ４５１は、サービス提供手段６との通信を行う手段であり、サービス提供手段６のＵＲＬに基づいて、算出したＲＦＩＤタグ３１の二次元上の位置をサービス提供手段６に送信するようになっている。また、通信手段Ｂ４５２は、サービス提供手段６が情報配信装置４と通信を行う手段であり、情報配信装置４からＲＦＩＤタグ３１の二次元上の位置を受信するようになっている。
【００８２】
位置−アプリケーション変換手段４５３は、受け取ったＲＦＩＤタグ３１の二次元上の位置から、対応するサービスを決定し、該サービスに関する情報を通信手段Ｂを介して情報配信装置４に送信するようになっている。尚、この場合においては、サービス提供手段６においては、ＲＦＩＤタグの二次元上の位置と各サービス（各懸賞に関する情報）の対応付けが予めされており、サービスの特定としては、コマンド又はコマンドが埋め込まれたＵＲＬが情報配信装置４に通知されるようになっている。
【００８３】
情報加工手段４６は、観測対象装置３から通信手段Ｂ４５１を介して受け取ったサービス特定の情報（ＷｅｂページのＵＲＬなど）に従って、所望のネットワークサービスをサービス提供手段６から取得するようになっている、又はサービス提供手段６から通信手段Ｂ４５１を介して所望のネットワークサービスを受け取るようになっている。そして、所望のネットワークサービスを情報表示可能な形式に加工し、加工したサービスを通信手段４１を介して情報表示装置２に送信するようになっている。
【００８４】
尚、本実施の形態においては、観測対象装置３と情報配信装置４との通信および情報配信装置４とサービス提供手段６との通信は、情報表示装置２と情報配信装置４との通信と、通信媒体およびプロトコルを異なるものとし、通信に関連する機能を別名称としているが（例えば、通信手段Ａ、通信手段Ｂ）、双方の通信媒体およびプロトコルを同一にし、同一名称としてもよいものである。
【００８５】
コンピュータネットワーク５は、情報表示装置２と情報配信装置４との間、観測対象装置３と情報配信装置４との間、および情報配信装置４とサービス提供手段６との間の情報伝送路であり、例えば、情報表示装置２と情報配信装置４は、無線（例えば、Bluetooth（登録商標）など）のコンピュータネットワークにより相互に通信可能となっている。また、観測対象装置３と情報配信装置４は、有線および無線のＬＡＮなどのコンピュータネットワークで接続されており、情報配信装置４は、インターネット網などの外部のコンピュータネットワークを介してサービス提供手段６と接続されている。
【００８６】
尚、情報表示装置２、ユーザＰＣなどの観測対象装置３、情報配信装置４およびサービス提供手段６は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、各装置は、主記憶装置の他、ハードディスクなどの補助記憶装置を具備していてもよい。
【００８７】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００８８】
次に、本実施の形態に係るネットワークサービス提供システム１の動作について図１０を用いて説明する。ここで、図１０は、情報表示装置２が観測対象装置３であるユーザＰＣのフィルムシート３０に接触した場合のネットワークサービス提供システム１の動作を示すシーケンス図である。
【００８９】
まず、情報表示装置２がユーザＰＣ３のディスプレイに接触すると、情報表示装置２のリーダライタ１０２がＲＦＩＤタグ３１の読み取りを始める（ステップＳ１１０，Ｓ１２０）。これにより、リーダライタ１０２の有効射程範囲内にあるＲＦＩＤタグ３１がこれに反応し、自己のＩＤを情報表示装置２に送信する（ステップＳ１３０）。次いで、ＲＦＩＤタグ３１のＩＤを取得した情報表示装置２は、該ＩＤを情報配信装置４に送信する（ステップＳ１４０）。
【００９０】
次に、情報配信装置４は、ＲＦＩＤタグ３１のＩＤから操作対象（ユーザＰＣ）を特定し、ＲＦＩＤタグ３１のＩＤからＲＦＩＤタグ３１が配置されている二次元上の位置（座標）を算出し、該位置を特定された操作対象、即ち、ユーザＰＣ３に送信する（ステップＳ１５０，Ｓ１６０，Ｓ１７０）。
【００９１】
次に、ユーザＰＣ３は、受け取ったＲＦＩＤタグ３１の二次元上の位置からディスプレイ上の該位置に配置されているアプリケーション（Ｗｅｂブラウザ）を対応付けて、該アプリケーションが実行しているサービス（ＷｅｂページのＵＲＬ）を決定し、ＵＲＬに関する情報を情報配信装置４に送信する（ステップＳ１８０，Ｓ１９０，Ｓ２００）。
【００９２】
この結果、情報配信装置４は、所望のネットワークサービスのＵＲＬを取得するので、ＵＲＬに従ってサービス提供手段６にサービス情報の要求をし、該サービス情報を取得する（ステップＳ２１０，Ｓ２２０，Ｓ２３０）。次いで、情報配信装置４は、取得したサービス情報を加工し、加工したサービス情報を情報提示リクエストとして情報表示装置２に送信する（ステップＳ２４０，Ｓ２５０）。
【００９３】
情報表示装置２は、情報提示リクエストを受信すると、情報表示を行う（ステップＳ２６０）。これにより、観測対象装置３の接触された位置に表示されているＷｅｂページが情報表示装置２にも表示される。そして、情報配信装置４が送信したサービス情報を適切に受信して、正常に表示した場合には、正常に表示した旨のメッセージを表示レスポンスとして情報配信装置４に送信する（ステップＳ２７０）。これにより、情報配信装置４は、情報表示装置２の端末状態を確認することができる（ステップＳ２８０）。
【００９４】
また、情報配信装置４は、定期的に所定の時間間隔をおいてサービス提供手段６から適宜所望のサービス情報を取得するようになっているので、サービス提供手段６が提供する最新のサービス情報を情報表示装置２に提供できるようになっている（ステップＳ２９０〜Ｓ３５０）。
【００９５】
従って、本実施の形態によるネットワークサービス提供システム１によれば、利用者が備える情報表示装置２を既にネットワークサービスの提供を受けている観測対象装置３のサービス表示面に接触させると、サービス表示面における接触点を検出し、該接触点から接触点に表示されていたネットワークサービスを的確に把握することができるので、接触という簡単な手続きにより、利用者が望む多様なネットワークサービスを利用者に提供することができる。
【００９６】
また、接触点を検出するにあたり、観測対象装置３自体には何ら手を加えることなく、観測対象装置３にファイルムシート３０を貼付すればよいので、手軽にネットワークサービス提供システム１を導入することができる。
【００９７】
以上、本発明の実施の形態について説明してきたが、本発明の要旨を逸脱しない範囲において、本発明の実施の形態に対して種々の変形や変更を施すことができる。例えば、本実施の形態においては、フィルムシート３０に配置されたＲＦＩＤタグ３１のユニークなＩＤは、フィルムシート３０の左上端を０として、左から右、および上から下に振られた通し番号としていたが、本発明はこれに限定されず、ＲＦＩＤタグ３１のＩＤがユニークであれば、他の方法でもよいものである。例えば、通し番号を上述のように振らなくても、通し番号とＩＤの変換テーブルを用意して、この対応テーブルに基づいてＲＦＩＤタグ３１の位置を算出するようにしてもよい。
【００９８】
また、上記実施の形態においては、ＲＦＩＤタグ３１の配置を、リーダライタ１０２が的確に１つのＲＦＩＤタグ３１を検出するのに最適な配置、即ち、ＲＦＩＤタグ３１が正三角形の頂点にくるような配置としたが、検出するＲＦＩＤタグ３１の数にこだわらないのであれば、他の配置、例えば、ＲＦＩＤタグ３１が正方形の頂点にくるように配置してもよいものである。
【００９９】
また、上記実施の形態においては、ユーザＰＣ、ポスターとの接触位置を検出する場合を説明したが、本発明はこれに限定されるものではなく、壁面上の所定位置の検出、テーブル上の所定位置の検出、ボードゲーム上の所定位置の検出、トレイ上の所定位置の検出などに適用してもよく、これらの位置検出から所望のネットワークサービスを提供するようにしてもよいものである。
【０１００】
さらに、上記実施の形態においては、リーダライタ１０２は、情報表示装置２の裏面の中心に１つ具備されるようになっていたが、リーダライタ１０２の情報表示装置２への装備構成はこれに限定されるものではなく、他の構成、例えば、情報表示装置２裏面の二隅（例えば、左上と右下など）にリーダライタ１０２を具備し、各リーダライタ１０２が有効射程範囲内のＲＦＩＤタグ３１をそれぞれ読み込み、読み込まれたＲＦＩＤタグ３１から特定される矩形領域を接触位置として検出してもよいし、また、情報表示装置２裏面全体が有効射程範囲となるようなリーダライタ１０２’を取り付け、裏面全体に存在する複数のＲＦＩＤタグを同時に読み取り、これから接触位置を検知するようにしてもよい。
【図面の簡単な説明】
【０１０１】
【図１】本発明の実施の形態に係るネットワークサービス提供システムの利用イメージを説明する図である。
【図２】本発明の実施の形態に係るネットワークサービス提供システムに用いられる情報表示装置の一例である。
【図３】本発明の実施の形態に係るネットワークサービス提供システムに用いられるフィルムシートの一例である。
【図４】本発明の実施の形態に係るネットワークサービス提供システムのＲＦＩＤタグ認識を説明する図である。
【図５】本発明の実施の形態に係るネットワークサービス提供システムのＲＦＩＤタグの間隔とリーダライタの有効射程範囲の関係を説明する図である。
【図６】本発明の実施の形態に係るネットワークサービス提供システムの概略構成図である。
【図７】本発明の実施の形態に係るネットワークサービス提供システムに用いられるフィルムシートの位置座標を説明する図である。
【図８】ユーザＰＣにフィルムシートを貼付した場合における本発明の実施の形態に係るネットワークサービス提供システムの概略構成図である。
【図９】ポスターにフィルムシートを貼付した場合における本発明の実施の形態に係るネットワークサービス提供システムの概略構成図である。
【図１０】本発明の実施の形態に係るネットワークサービス提供システムの動作を説明するシーケンス図である。
【図１１】本発明の実施の形態に係る位置特定システムの概略構成図である。
【図１２】本発明の実施の形態に係るサービス提供システムの概略構成図である。
【符号の説明】
【０１０２】
１  ネットワークサービス提供システム
２  情報表示装置
３  観測対象装置
４  情報配信装置
５  コンピュータネットワーク
６  サービス提供手段
１０  位置指定装置
１０Ａ  タグＩＤ取得手段
２０  位置特定装置
２１  接触手段
２２  通信手段Ａ
２３  情報表示手段
３０  フィルムシート
３１  ＲＦＩＤタグ
４０  処理装置
４０Ａ  位置特定手段
４０Ｂ  処理特定手段
４０Ｃ  処理実行手段
４０Ｄ  サービス情報取得手段
４１  通信手段Ａ
４２  対象特定手段
４３  対応テーブル
４４  ＩＤ−位置変換手段
４５  位置−アプリケーション対応手段
４６  情報加工手段
５０  情報表示装置
１００  位置特定システム
１０１  液晶表示部
１０２  ＲＦＩＤリーダライタ
２００  サービス提供システム
４５１  通信手段Ｂ
４５２  通信手段Ｂ
４５３  ディスプレイ座標−アプリケーション変換手段
【図１】
2006072657.tif 000003
【図２】
2006072657.tif 000004
【図３】
2006072657.tif 000005
【図４】
2006072657.tif 000006
【図５】
2006072657.tif 000007
【図６】
2006072657.tif 000008
【図７】
2006072657.tif 000009
【図８】
2006072657.tif 000010
【図９】
2006072657.tif 000011
【図１０】
2006072657.tif 000012
【図１１】
2006072657.tif 000013
【図１２】
2006072657.tif 000014